(57)【要約】【課題】任意のグループ内で投票及びその結果に関する情報を容易に共有する技術を提供する。【解決手段】情報共有システムはネットワークを通じてサーバに接続された複数の情報共有端末１を含む。各情報共有端末１は、複数の情報共有端末１をグループとして定義するグループ情報を生成するグループ生成部１２と、投票券を読み込む投票券読込部１３と、投票券の投票内容と当該情報共有端末１を関連付けた投票情報を生成する投票情報生成部１４と、グループ情報と投票情報をサーバへ送信し、公営競技のレース結果情報と当該情報共有端末１が属するグループの情報共有端末で生成された複数の投票情報をサーバから受信する通信部１８と、レース結果情報と複数の投票情報から複数の投票結果情報を生成する演算部１６と、グループの情報共有端末１の複数の投票情報及び複数の投票結果情報を表示する表示部１５と、を備える。【選択図】図２
2014081771.tif 000002
【特許請求の範囲】
【請求項１】
ネットワークを通じてサーバに接続された複数の情報共有端末を含み、
前記複数の情報共有端末の各々は、
前記複数の情報共有端末から選択された複数の情報共有端末をグループとして定義するグループ情報を生成するグループ生成部と、
公営競技の投票券を読み込む投票券読込部と、
前記投票券読込部で読み込まれた前記投票券の投票内容と当該情報共有端末とを関連付けた投票情報を生成する投票情報生成部と、
前記グループ生成部で生成された前記グループ情報と前記投票情報生成部で生成された前記投票情報とを前記サーバへ送信し、且つ、公営競技のレース結果情報と当該情報共有端末が属するグループの前記複数の情報共有端末で生成された複数の前記投票情報とを前記サーバから受信する通信部と、
前記通信部が受信した前記レース結果情報と前記複数の投票情報とから、複数の投票結果情報を生成する演算部と、
当該情報共有端末が属するグループの前記複数の情報共有端末の、前記複数の投票情報及び前記複数の投票結果情報を表示する表示部と、を備える
ことを特徴とする情報共有システム。
【請求項２】
請求項１に記載の情報共有システムにおいて、
各情報共有端末の前記演算部は、当該情報共有端末が属するグループの前記複数の情報共有端末の前記複数の投票結果情報を順位付けしたランキング情報を生成し、
各情報共有端末の前記表示部は、前記ランキング情報を表示する
ことを特徴とする情報共有システム。
【請求項３】
ネットワークを通じてサーバに接続された情報共有装置であって、
前記情報共有装置を使用する複数のユーザをグループとして定義するグループ生成部と、
公営競技の投票券を読み込む投票券読込部と、
前記投票券読込部で読み込まれた前記投票券の投票内容と前記投票券の所有者であるユーザとを関連付けた投票情報を生成する投票情報生成部と、
公営競技のレース結果情報を前記サーバから受信する通信部と、
前記通信部が受信した前記レース結果情報と、前記投票情報生成部で生成された、前記グループ生成部で定義された前記グループに属する前記複数のユーザの前記複数の投票情報とから、複数の投票結果情報を生成する演算部と、
前記グループ生成部で定義された前記グループに属する前記複数のユーザの、前記複数の投票情報及び前記複数の投票結果情報を表示する表示部と、を備える
ことを特徴とする情報共有装置。
【請求項４】
請求項３に記載の情報共有装置において、
前記演算部は、前記グループ生成部で定義された前記グループに属する前記複数のユーザの前記複数の投票結果情報を順位付けしたランキング情報を生成し、
前記表示部は、前記ランキング情報を表示する
ことを特徴とする情報共有装置。
【請求項５】
請求項３または請求項４に記載の情報共有装置において、
前記投票券読込部は、前記投票券を、読み込む際に指定されたユーザが所有する投票券として読み込む
ことを特徴とする情報共有装置。
【請求項６】
ネットワークを通じてサーバに接続された複数の情報共有端末を含み、
前記複数の情報共有端末の各々は、
前記複数の情報共有端末から選択された複数の情報共有端末をグループとして定義するグループ情報を生成するグループ生成部と、
公営競技への投票内容を取得する投票内容取得部と、
前記投票内容取得部で取得された投票内容と当該情報共有端末とを関連付けた投票情報を生成する投票情報生成部と、
前記グループ生成部で生成された前記グループ情報と前記投票情報生成部で生成された前記投票情報とを前記サーバへ送信し、且つ、公営競技のレース結果情報と当該情報共有端末が属するグループの前記複数の情報共有端末で生成された複数の前記投票情報とを前記サーバから受信する通信部と、
前記通信部が受信した前記レース結果情報と前記複数の投票情報とから、複数の投票結果情報を生成する演算部と、
当該情報共有端末が属するグループの前記複数の情報共有端末の、前記複数の投票情報及び前記複数の投票結果情報を表示する表示部と、を備える
ことを特徴とする情報共有システム。
【請求項７】
請求項６に記載の情報共有システムにおいて、
前記投票内容取得部は、公営競技の投票を受け付ける投票受付部であり、
前記投票情報生成部は、前記投票受付部で受け付けた投票内容と当該情報共有端末とを関連付けた投票情報を生成する
ことを特徴とする情報共有システム。
【請求項８】
請求項６に記載の情報共有システムにおいて、
前記投票内容取得部は、公営競技の投票券を読み込む投票券読込部であり、
前記投票情報生成部は、前記投票券読込部で読み込まれた前記投票券の投票内容と当該情報共有端末とを関連付けた投票情報を生成する
ことを特徴とする情報共有システム。
【請求項９】
ネットワークを通じてサーバに接続された複数の情報共有端末で行われる情報共有方法であって、
前記複数の情報共有端末から選択された複数の情報共有端末をグループとして定義するグループ情報を生成し、生成された前記グループ情報を前記サーバへ送信する工程と、
公営競技の投票券を読み込む工程と、
読み込まれた前記投票券の投票内容と前記投票券を読み込んだ情報共有端末とを関連付けた投票情報を生成し、生成された前記投票情報を前記サーバへ送信する工程と、
公営競技のレース結果情報と前記グループの前記複数の情報共有端末で生成された複数の投票情報とを前記サーバから受信する工程と、
受信した前記レース結果情報と前記複数の投票情報とから複数の投票結果情報を生成する工程と、
前記グループの複数の情報共有端末の前記複数の投票情報及び前記複数の投票結果情報を表示する工程と、を備える
ことを特徴とする情報共有方法。
【発明の詳細な説明】
【技術分野】
【０００１】
本発明は、競馬、競輪、競艇、オートレース等の投票及びその結果に関する情報を複数人で共有する技術に関する。
【背景技術】
【０００２】
競馬、競輪、競艇、オートレースなどの公営競技の投票券は、競技が行われる本場やその場外に設けられている投票券売り場で購入することができるが、近年では、電話回線やインターネットを介して携帯電話やパソコンから購入することも可能となっている。このような技術は、例えば、特許文献１に開示されている。
【０００３】
特許文献１には、会員が携帯電話やパソコンなどの端末を用いて投票することができる競馬用の投票システムが開示されている。また、特許文献１に開示される投票システムは、電話回線やインターネットを介して投票を受け付ける機能に加えて、全会員の投票成績を収集して各会員の端末にその会員の成績順位を配信する機能を備えている。
【先行技術文献】
【特許文献】
【０００４】
【特許文献１】特開２００３−０７６８０８号公報
【発明の概要】
【発明が解決しようとする課題】
【０００５】
特許文献１に開示される技術によれば、自身の成績の会員内での順位を把握することができるため、他者との関係で自身の成績を評価することができる。
しかしながら、各会員の端末にはその会員の情報しか表示されず、他の会員の情報は表示されない。このため、例えば、会員同士が一緒に本場に訪れて競馬を楽しむ場合であっても、他の会員との間で情報を共有することは難しい。また、各会員の端末に表示されるその会員の順位は、システムを利用している会員全体における順位であり、一緒に本場を訪れた会員内における順位は、表示されない。
【０００６】
以上のような実情を踏まえ、本発明は、任意のグループ内で投票及びその結果に関する情報を容易に共有することができる技術を提供することを目的とする。
【課題を解決するための手段】
【０００７】
本発明の一態様は、ネットワークを通じてサーバに接続された複数の情報共有端末を含み、前記複数の情報共有端末の各々は、前記複数の情報共有端末から選択された複数の情報共有端末をグループとして定義するグループ情報を生成するグループ生成部と、公営競技の投票券を読み込む投票券読込部と、前記投票券読込部で読み込まれた前記投票券の投票内容と当該情報共有端末とを関連付けた投票情報を生成する投票情報生成部と、前記グループ生成部で生成された前記グループ情報と前記投票情報生成部で生成された前記投票情報とを前記サーバへ送信し、且つ、公営競技のレース結果情報と当該情報共有端末が属するグループの前記複数の情報共有端末で生成された複数の前記投票情報とを前記サーバから受信する通信部と、前記通信部が受信した前記レース結果情報と前記複数の投票情報とから、複数の投票結果情報を生成する演算部と、当該情報共有端末が属するグループの前記複数の情報共有端末の、前記複数の投票情報及び前記複数の投票結果情報を表示する表示部と、を備える情報共有システムを提供する。
【０００８】
本発明の別の一態様は、ネットワークを通じてサーバに接続された情報共有装置であって、前記情報共有装置を使用する複数のユーザをグループとして定義するグループ生成部と、公営競技の投票券を読み込む投票券読込部と、前記投票券読込部で読み込まれた前記投票券の投票内容と前記投票券の所有者であるユーザとを関連付けた投票情報を生成する投票情報生成部と、公営競技のレース結果情報を前記サーバから受信する通信部と、前記通信部が受信した前記レース結果情報と、前記投票情報生成部で生成された、前記グループ生成部で定義された前記グループに属する前記複数のユーザの前記複数の投票情報とから、複数の投票結果情報を生成する演算部と、前記グループ生成部で定義された前記グループに属する前記複数のユーザの、前記複数の投票情報及び前記複数の投票結果情報を表示する表示部と、を備える情報共有装置を提供する。
【０００９】
本発明のさらに別の一態様は、ネットワークを通じてサーバに接続された複数の情報共有端末を含み、前記複数の情報共有端末の各々は、前記複数の情報共有端末から選択された複数の情報共有端末をグループとして定義するグループ情報を生成するグループ生成部と、公営競技への投票内容を取得する投票内容取得部と、前記投票内容取得部で取得された投票内容と当該情報共有端末とを関連付けた投票情報を生成する投票情報生成部と、前記グループ生成部で生成された前記グループ情報と前記投票情報生成部で生成された前記投票情報とを前記サーバへ送信し、且つ、公営競技のレース結果情報と当該情報共有端末が属するグループの前記複数の情報共有端末で生成された複数の前記投票情報とを前記サーバから受信する通信部と、前記通信部が受信した前記レース結果情報と前記複数の投票情報とから、複数の投票結果情報を生成する演算部と、当該情報共有端末が属するグループの前記複数の情報共有端末の、前記複数の投票情報及び前記複数の投票結果情報を表示する表示部と、を備える情報共有システムを提供する。
【００１０】
本発明のさらに別の一態様は、ネットワークを通じてサーバに接続された複数の情報共有端末で行われる情報共有方法であって、前記複数の情報共有端末から選択された複数の情報共有端末をグループとして定義するグループ情報を生成し、生成された前記グループ情報を前記サーバへ送信する工程と、公営競技の投票券を読み込む工程と、読み込まれた前記投票券の投票内容と前記投票券を読み込んだ情報共有端末とを関連付けた投票情報を生成し、生成された前記投票情報を前記サーバへ送信する工程と、公営競技のレース結果情報と前記グループの前記複数の情報共有端末で生成された複数の投票情報とを前記サーバから受信する工程と、受信した前記レース結果情報と前記複数の投票情報とから複数の投票結果情報を生成する工程と、前記グループの複数の情報共有端末の前記複数の投票情報及び前記複数の投票結果情報を表示する工程と、を備える情報共有方法を提供する。
【発明の効果】
【００１１】
本発明によれば、任意のグループ内で投票及びその結果に関する情報を容易に共有することができる技術を提供することができる。
【図面の簡単な説明】
【００１２】
【図１】本発明の実施例１に係る情報共有システムを含むシステムの全体構成を示す図である。
【図２】本発明の実施例１に係る情報共有端末の機能ブロック図である。
【図３】本発明の実施例１に係る情報共有端末のハードウェア構成図である。
【図４】本発明の実施例１に係る情報共有端末で実行される登録処理のフローチャートである。
【図５】本発明の実施例１に係る情報共有端末で実行される投票券読取処理のフローチャートである。
【図６】本発明の実施例１に係る情報共有端末で実行される表示処理のフローチャートである。
【図７】本発明の実施例１に係る情報共有端末に表示される初期画面の一例を示す図である。
【図８】本発明の実施例１に係る情報共有端末に表示される個人登録画面の一例である。
【図９】本発明の実施例１に係る情報共有端末に表示されるグループ登録画面の一例である。
【図１０】端末情報の一例を示す図である。
【図１１】席次情報の一例を示す図である。
【図１２】グループ情報の一例を示す図である。
【図１３】本発明の実施例１に係る情報共有端末に表示される初期画面の他の一例を示す図である。
【図１４】投票情報の一例を示す図である。
【図１５】本発明の実施例１に係る情報共有端末に表示される投票券読取完了画面の一例を示す図である。
【図１６】ランキング情報の一例を示す図である。
【図１７】本発明の実施例１に係る情報共有端末に表示される投票結果情報表示画面の一例を示す図である。
【図１８】本発明の実施例１に係る情報共有端末に表示されるランキング情報表示画面の一例を示す図である。
【図１９】本発明の実施例２に係る情報共有装置を含むシステムの全体構成を示す図である。
【図２０】本発明の実施例２に係る情報共有装置の機能ブロック図である。
【図２１】本発明の実施例３に係る情報共有システムを含むシステムの全体構成を示す図である。
【図２２】本発明の実施例３に係る情報共有端末の機能ブロック図である。
【発明を実施するための形態】
【００１３】
〈実施例１〉
図１は、本実施例に係る情報共有システムを含むシステムの全体構成を示す図である。本実施例に係る情報共有システム１０は、競馬、競輪、競艇、オートレースなどの公営競技の投票に関する情報及びその結果に関する情報を複数人で共有するためのシステムであり、共有する情報を管理する情報共有サーバ３０、公営競技に関する情報全般を管理するホスト４０、公営競技の投票券を販売する投票端末５０とともに、公営競技のためのシステムを構成している。
【００１４】
情報共有システム１０は、インターネット、ＬＡＮ、ＷＡＮなどのネットワーク２０を通じて情報共有サーバ３０に接続された複数の情報共有端末１を備えていて、これらは、競馬場など公営競技の本場（競技が実際に行われている場所のこと）に設置されている。なお、投票端末５０も情報共有端末１と同様に本場に設置されているが、情報共有サーバ３０及びホスト４０は、ネットワーク２０を介して本場と接続されているデータセンタなどに設置されているのが通常である。
【００１５】
図２は、本実施例に係る情報共有端末１の機能ブロック図である。情報共有システム１０を構成する複数の情報共有端末１の各々は、ユーザ入力受付部１１と、グループ生成部１２と、投票券読込部１３と、投票情報生成部１４と、表示部１５と、演算部１６と、記憶部１７と、通信部１８を備えている。情報共有端末１では、ユーザの操作に従って、グループを作成するための登録処理、投票内容を取得するための投票券読取処理、グループの共有情報を表示するための表示処理の３種類の処理が実行される。情報共有システム１０は、各情報共有端末１がこれらの処理を実行することで、任意のグループで投票及びその結果に関する情報を容易に共有することができる。
【００１６】
なお、ユーザ入力受付部１１は、ユーザからの入力を受け付ける役割を担っている。グループ生成部１２は、ユーザ入力受付部１１からの入力に従って複数の情報共有端末をグループとして定義するグループ情報を生成する役割を担っている。投票券読込部１３は、公営競技の投票券を読み込んで投票内容を取得する役割を担っている。投票情報生成部１４は、投票券読込部１３で読み込まれた投票券の投票内容と投票券を読み込んだ情報共有端末１とを関連付けた投票情報を生成する役割を担っている。表示部１５は、各種共有情報を表示画面に生成し、表示してユーザに提供する役割を担っている。演算部１６は、投票結果情報及びランキング情報を生成する役割を担っている。記憶部１７は、各種データを記憶する役割を担っている。通信部１８は、情報共有サーバ３０との間で各種データをやり取りする役割を担っている。
【００１７】
図３は、本実施例に係る情報共有端末１のハードウェア構成図である。各情報共有端末１は、図３に示すように、ＣＰＵ３、主記憶装置４、補助記憶装置５、投票券リーダ６、通信部７、表示部８、入力部９を備えていて、それらはシステムバス２により接続されている。
【００１８】
そして、ＣＰＵ３が補助記憶装置５に格納されたプログラムを主記憶装置４にロードして実行することで、情報共有端末１では、図２に示す各種機能が実現される。主記憶装置４は、例えば、ＲＡＭ（Random Access Memory）等により構成されていて、ロードされた情報共有端末１の制御プログラム、その他プログラムの実行に必要なデータ、及び、実行した結果として得られるデータを記憶する。補助記憶装置５は、例えば、ＨＤＤ（Hard Disk Drive）などによって構成されていて、情報共有端末１の制御プログラムや各種データが記憶されている。投票券リーダ６は、ユーザが図１に示す投票端末５０で購入した投票券５１を読み込んで、例えば、投票券５１に記載されているＱＲコード（登録商標）などから投票券５１の投票内容を読み取る。なお、投票券から投票内容を読み取る技術は、既存の自動払戻機などで使用されている任意の技術を採用し得る。
【００１９】
通信部７は、ネットワーク２０を介して情報共有サーバ３０と各種データをやり取りする。表示部８は、例えば、液晶ディスプレイ装置であり、ＣＰＵ３の制御に従って各種画面を表示する。入力部９は、例えば、キーボードやマウスなどであり、各種データの入力のためにユーザによって操作される。なお、入力部９は、液晶ディスプレイ装置である表示部８に重ねて配置されたタッチパネルセンサであってもよく、表示部８と入力部９がタッチパネルディスプレイを構成しても良い。
【００２０】
以下、複数人からなるグループで公営競技の本場に訪れたユーザが情報共有システム１０を利用して投票に関する情報及びその結果に関する情報を共有する方法について具体的に説明する。
【００２１】
まず、本場に訪れた複数のユーザの各々は、情報共有システム１０を構成する複数の情報共有端末１の中から自身が利用する情報共有端末１を決定する。その後、各情報共有端末１では、ユーザの操作に従って、図４に示すグループを生成するための登録処理、図５に示す投票内容を取得するための投票券読取処理、図６に示す共有情報を表示するための表示処理の３種類の処理が実行される。ただし、これらの処理のうちの登録処理が最初に行われる必要がある。このため、登録処理が未済の場合、情報共有端末１の表示部１５には、ユーザに対して登録処理を促すメッセージが表示された図７に示す初期画面が表示される。
【００２２】
ここで、本実施例１に係る情報共有端末で実行される登録処理について、図４のフローチャートを用いて説明する。
まず、図７に示す初期画面のメッセージに従ってユーザが登録ボタンＢ１を押下すると、図４に示す登録処理が開始されて、表示部１５が図８に示す個人登録画面を表示する（ステップＳ１）。そして、ユーザが画面のテキストボックスＴ１に名前を入力して個人登録ボタンＢ５を押下すると（ステップＳ３）、ユーザ入力受付部１１が入力情報を受け付け、グループ生成部１２へ入力情報を送信し、グループ生成部１２は、ユーザ受付部１１からの入力情報を基に、入力された名前と情報共有端末１の端末番号とを関連付けた図１０に示す端末情報を生成する。さらに、記憶部１７が端末情報を記憶し、通信部１８が端末情報を情報共有サーバ３０に送信する（ステップＳ５）。これにより、情報共有サーバ３０では、各情報共有端末１から送信された端末情報に基づいて図１１に示す席次情報が生成される。情報共有サーバ３０は、席次情報が生成されると各情報共有端末１へ生成された席次情報を送信する。
【００２３】
情報共有サーバ３０による席次情報の送信が正常に終了すると、各情報共有端末１の通信部１８が情報共有サーバ３０から席次情報を取得する（ステップＳ７）。そして、表示部１５が取得した席次情報に基づいて図９に示すグループ登録画面を表示する（ステップＳ９）。
【００２４】
グループ登録画面には、図９に示すように、情報共有システム１０を構成する複数の情報共有端末１の各々を示すアイコン（Ｉ１からＩ１５）が実際の情報共有端末１の配置に従って表示されている。また、すでに名前が登録されている情報共有端末１には、対応するアイコン上に、その情報共有端末１を示す端末番号に加えて登録された名前が表示されている。
【００２５】
ユーザが情報を共有すべきユーザによって使用されている情報共有端末１のアイコンを選択してグループ登録ボタンＢ６を押下すると（ステップＳ１１）、選択された情報共有端末１を含むグループが既に登録されているか否かをグループ生成部１２が判断する（ステップＳ１３）。これは、例えば、選択された情報共有端末１の端末番号をキーにして情報共有サーバ３０に記憶されているグループ情報を検索した結果に基づいて判断することができる。
【００２６】
未だグループが登録されていない場合（ステップＳ１３のＮＯ）には、グループ生成部１２は、ステップＳ７で取得した席次情報からグループ登録画面で選択された情報共有端末１のデータを抽出する。これにより、複数の情報共有端末１の中から選択された任意の複数の情報共有端末１をグループとして定義するグループ情報を生成する（ステップＳ１５）。ユーザが選択した端末が図９に示すように端末番号１、２、６の端末である場合であれば、図１２に示すグループ情報が生成される。さらに、記憶部１７がそのグループ情報を記憶し、通信部１８が生成したグループ情報を情報共有サーバ３０に送信する（ステップＳ１７）。これにより、グループ情報が、情報共有サーバ３０を介して複数の情報共有端末１に共有される。
【００２７】
一方、すでにグループが登録されている場合（ステップＳ１３のＹＥＳ）には、既に生成されたグループ情報を優先するために、グループ登録終了ボタンＢ９を押下し、グループ生成部１２は新たなグループを生成することなく登録処理を終了する。また、追加を行う場合は、追加したい端末番号（アイコン）を選択し、再度グループ登録ボタンＢ６を押下すると、選択された情報共有端末１を含むグループが既に登録されているか否かをグループ生成部１２が判断し、更新される。また、削除を行う場合は、削除したい端末番号（アイコン）を選択し、再度グループ登録ボタンＢ６を押下すると、選択された情報共有端末１を含むグループが既に登録されているか否かをグループ生成部１２が判断し、更新される。即ち、図４に示す登録処理のうち個人登録（名前の入力）は、グループに属する各情報共有端末１で実行されるが、グループ情報の生成及び送信についてはグループに属する１つの情報共有端末１で行われればよい。従って、図４では、グループ登録ボタンの押下後にグループ登録済みか否かを判断する例を示したが、端末情報の送信後にグループ登録済みか否かを判断し、グループ登録が未済の場合にのみグループ登録画面を表示してもよい。なお、グループの生成は任意の情報共有端末１で行われてもよいが、グループに所属する情報共有端末１（以降、グループメンバと記す。）でのみグループが生成できるようにしてもよい。
【００２８】
情報共有システム１０では、ユーザ自身が使用する情報共有端末１に各ユーザが名前を入力後、一人のユーザがグループとして定義すべき情報共有端末１のアイコンを選択するだけで、グループ情報を生成することができる。このため、事前に会員登録などの面倒な手続きを行う必要がなく、極めて容易にグループを形成することができる。
【００２９】
また、グループ登録画面に表示される情報共有端末１のアイコンは、実際の情報共有端末１の配置に従って表示されていて、さらにそのアイコン上には、その情報共有端末１を示す端末番号に加えて登録された名前が表示されている。このため、ユーザは、グループに所属させるべき情報共有端末１を容易に識別することができる。また、情報共有端末１に入力する名前は実名である必要はない。このため、情報共有システム１０の利用に当たり個人情報の入力を避けることができる。
【００３０】
登録処理が終了すると、情報共有端末１の表示部１５は、図７に示す初期画面とは異なるメッセージが表示された図１３に示す初期画面を表示する。
次に、本実施例１に係る情報共有端末で実行される投票券読取処理について、図５のフローチャートを用いて説明する。
【００３１】
まず、図１３に示す初期画面が表示され、ユーザが投票券読み取りボタンＢ３を押下すると、図５に示す投票券読取処理が開始される。そして、ユーザが投票端末５０で購入した投票券５１を情報共有端末１に挿入すると、投票券読込部１３が投票券５１を検出して（ステップＳ２１）、投票券５１の投票内容を取得する（ステップＳ２３）。そして、投票情報生成部１４が、図４に示す登録処理で生成された端末情報を取得し（ステップＳ２５）、取得した端末情報と投票券読込部１３が取得した投票内容とを関連付けた投票情報を生成する（ステップＳ２７）。図１４は、投票情報生成部１４で生成された投票情報の一例であり、複数の投票券が読み込まれた後に生成された投票情報が例示されている。
【００３２】
さらに、記憶部１７が投票情報を記憶し、通信部１８が投票情報を情報共有サーバ３０に送信する（ステップＳ２９）。これにより、投票情報が、情報共有サーバ３０を介して複数の情報共有端末１に共有される。
【００３３】
投票情報の送信が正常に終了すると、表示部１５が図１５に示す投票券読取完了画面を表示し（ステップＳ３１）、別の投票券を読み込むか否かをユーザに選択させる（ステップＳ３３）。ユーザが次の投票券の読み取りボタンＢ７を押下すると（ステップＳ３３のＹＥＳ）、ステップＳ２１に戻って上述した処理が繰り返される。一方、ユーザが読み取り終了ボタンＢ８を押下すると（ステップＳ３３のＮＯ）、投票券読取処理が終了する。
【００３４】
投票券読取処理が終了すると、情報共有端末１の表示部１５は、再び図１３に示す初期画面を表示する。
【００３５】
次に、本実施例１に係る情報共有端末で実行される表示処理について、図６のフローチャートを用いて説明する。
図１３に示す初期画面が表示され、ユーザが表示ボタンＢ２を押下すると、図６に示す表示処理が開始される。まず、演算部１６は、情報共有端末１自身が属するグループのグループメンバの投票情報を取得する（ステップＳ４１）。より詳細には、通信部１８は、情報共有端末１自身が属するグループのグループメンバにより生成された複数の投票情報を情報共有サーバ３０から取得し、記憶部１７が取得した複数の投票情報を記憶する。その後、演算部１６が記憶部１７からその複数の投票情報を取得する。
【００３６】
次に、演算部１６が新しいレース結果情報が存在するかどうかを判断し(ステップＳ４３)、存在する場合(ステップＳ４３のＹＥＳ)には、演算部１６がその新しいレース結果情報を記憶部１７から取得する（ステップＳ４５）。なお、最新のレース結果情報は、随時、ホスト４０から情報共有サーバ３０を介して通信部１８により受信されていて、受信した最新のレース結果情報は記憶部１７により記憶されている。
【００３７】
演算部１６は、レース結果情報とグループメンバの複数の投票情報とを取得すると、これらの情報から自身が属するグループのグループメンバの複数の投票結果情報を生成する（ステップＳ４７）。そして、生成された複数の投票結果情報を記憶部１７が記憶する。ここで、複数の投票結果情報の各々は、グループメンバ毎の情報であり、例えば、各レースの購入金額と払戻し金額などを含んでいる。
【００３８】
演算部１６は、さらに、ステップＳ４７で生成したグループメンバの複数の投票結果情報を順位付けした図１６に示すランキング情報を生成する（ステップＳ４９）。そして、生成されたランキング情報を記憶部１７が記憶する。ここで、ランキング情報は、投票情報をグループメンバ内で順位付けした情報であり、例えば、図１６に示すように、グループメンバ毎の購入レース数に対する的中レース数を示す的中率（勝率）、グループメンバ内での的中率の順位である的中率順位、グループメンバ毎の購入金額（投資）に対する払戻し金額を示す利益率、グループメンバ内での利益率の順位である利益率順位、グループメンバ毎の最大払戻し金額、及び、グループメンバ内での最大払戻し金額の順位である高配当順位などを含んでいる。
【００３９】
その後、演算部１６は、記憶部１７に記憶されている投票結果情報とランキング情報を記憶部１７から取得する（ステップＳ５１、ステップＳ５３）。なお、新しいレース結果情報が存在しない場合(ステップＳ４３のＮＯ)には、演算部１６は、投票結果情報とランキング情報を生成するための一連の処理（ステップＳ４５、ステップＳ４７、ステップＳ４９）を省略し、既に生成され記憶部１７に記憶されている投票結果情報とランキング情報を記憶部１７から取得する（ステップＳ５１、ステップＳ５３）。
【００４０】
そして、取得した情報に基づいて、表示部１５が図１７に示す投票結果情報表示画面を表示する（ステップＳ５５）。投票結果情報表示画面には、図１７に示すように、記憶部１７に記憶されている複数の投票情報と複数の投票結果情報とが、グループメンバ毎に整列されて表示される。
【００４１】
さらに、ユーザが図示しないランキング表示ボタンを押下するなどしてランキング情報の表示を要求すると（ステップＳ５７のＹＥＳ）、表示部１５は、図１８に示すランキング情報表示画面を表示する（ステップＳ５９）。ランキング情報表示画面には、図１８に示すように、演算部１６で生成されたランキング情報が、的中率、利益率、高配当などの項目毎に整列されて表示される。また、ランキング情報の表示を要求しない場合は（ステップＳ５７のＮＯ）の場合はそのままとなる。または、一定時間が経過すると、初期画面に戻るようにしてもよい。
【００４２】
その後、図示しない終了ボタンを押下すると、図６に示す表示処理が終了し、表示部１５に図１３に示す初期画面が表示される。
【００４３】
上述したように、情報共有システム１０では、簡単な手続きで任意のグループを形成することが可能であり、グループに属する複数の情報共有端末１間でグループメンバの投票情報及び投票結果情報を容易に共有することができる。このため、グループで本場に訪れたユーザ間でのコミュニケーションが容易になる。また、情報共有システム１０では、共有されたこれらの情報からグループメンバ内でのランキング情報を生成し表示することができる。このため、グループで本場に訪れたユーザに公営競技の新たな楽しみ方を提供することができる。さらに、投票結果情報表示画面にはレース前の投票情報も表示されることから、情報共有システム１０を利用することで、グループ内の初心者がグループ内の経験者の投票内容を自身の投票の参考にすることができる。このため、初心者のファンを取り込む効果も期待できる。このように、情報共有システム１０によれば、公営競技へのグループでの参加が促されることになるため、公営競技のファンの増加が期待できる。
【００４４】
〈実施例２〉
図１９は、本実施例に係る情報共有装置を含むシステムの全体構成を示す図である。図２０は、本実施例に係る情報共有装置の機能ブロック図である。図１９に示すシステムは、それぞれが異なるユーザに使用される複数の情報共有端末１からなる情報共有システム１０の代わりに、複数のユーザが共同で使用する情報共有装置６０を含む点が、図１に示す実施例１のシステムとは異なっている。その他の点は、図１に示すシステムと同様である。以下、図２０を参照しながら、本実施例に係る情報共有装置６０について、情報共有端末１及び情報共有システム１０との相違点を中心に説明する。
【００４５】
情報共有装置６０は、ユーザ入力受付部６１と、グループ生成部６２と、投票券読込部６３と、投票情報生成部６４と、表示部６５と、演算部６６と、記憶部６７と、通信部６８とを含む点は、図２に示す情報共有端末１と同様である。
【００４６】
ただし、情報共有装置６０は、複数のユーザで共同して使用される装置であるため、情報共有端末１とは次のような相違点がある。
まず、グループ生成部６２が、複数の情報共有端末１をグループとして定義する代わりに、情報共有装置６０を使用する複数のユーザをグループとして定義する点が異なっている。また、投票情報生成部６４は、投票券の内容と端末情報とを関連付ける代わりに、投票券読込部６３で読み込まれた投票券の内容とユーザ入力受付部６１から入力される投票券の所有者であるユーザの情報とを関連付けて投票情報を生成する点が異なっている。また、記憶部６７に席次情報や端末情報が記憶されない点も異なっている。さらに、情報共有装置６０では、グループに属するすべてのユーザの投票情報が装置内で生成されるため、ユーザの投票情報を必ずしも情報共有サーバ３０を介して共有する必要がない点も異なっている。このため、通信部６８は、少なくともレース結果情報を情報共有サーバ３０から受信するように構成されれば良い。なお、情報共有装置６０でも、情報共有端末１と同様に、投票情報を作成される都度、情報共有サーバ３０に送信し、グループに所属するユーザの投票情報を必要なタイミングで情報共有サーバ３０から受信してもよい。
【００４７】
以上のように構成された情報共有装置６０によっても、複数の情報共有端末１からなる情報共有システム１０と同様の効果を得ることができる。
【００４８】
〈実施例３〉
図２１は、本実施例に係る情報共有システムを含むシステムの全体構成を示す図である。図２２は、本実施例に係る情報共有端末の機能ブロック図である。図２１に示すシステムは、複数の情報共有端末１からなる情報共有システム１０と投票端末５０の代わりに、複数の情報共有端末７１からなる情報共有システム７０を含む点が、図１に示す実施例１のシステムとは異なっている。その他の点は、図１に示すシステムと同様である。以下、図２２を参照しながら、本実施例に係る情報共有システム７０について、情報共有端末１及び情報共有システム１０との相違点を中心に説明する。
【００４９】
情報共有端末７１は、投票券を販売する機能が追加されている点が、情報共有端末１と異なっている。従って、情報共有端末７１は、投票券を読み込む必要がないため、図２に示す投票券読込部１３に相当する構成を有しない。なお、ユーザ入力受付部７２と、グループ生成部７３と、投票情報生成部７４と、表示部７５と、演算部７６と、記憶部７７と、通信部７８とを含む点は、図２に示す情報共有端末１と同様である。ただし、ユーザ入力受付部７２は、ユーザの投票券購入操作により入力された公営競技への投票内容を取得する投票内容取得部としても機能する点が、情報共有端末１のユーザ入力受付部１１とは異なっている。
【００５０】
以上のように構成された情報共有システム７０によっても、情報共有システム１０と同様の効果を得ることができる。情報共有システム７０でも、情報共有システム７０内で入金や払戻し等を行えるように構成することで、個人情報などを事前に登録する会員登録を省略することができる。このため、事前に会員登録を必要とする、電話やインターネットを介して投票券を販売する既存のサービスに比べて、簡単な手続きでサービスを利用することができる。
【００５１】
以上で上述した実施例は、発明の理解を容易にするために具体例を示したものであり、本発明はこれらに実施例に限定されるものではない。各実施例に係る情報共有システムや情報共有装置は、特許請求の範囲により規定される本発明の思想を逸脱しない範囲において、さまざまな変形、変更が可能である。例えば、実施例２に係る情報共有装置６０に実施例３に係る情報共有システム７０のように投票券を販売する機能を追加するように変形してもよい。
【符号の説明】
【００５２】
１、７１                情報共有端末
２                      システムバス
３                      ＣＰＵ
４                      主記憶装置
５                      補助記憶装置
６                      投票券リーダ
７                      通信部
８、１５、６５、７５    表示部
９                      入力部
１０、７０              情報共有システム
１１、６１、７２        ユーザ入力受付部
１２、６２、７３        グループ生成部
１３、６３              投票券読込部
１４、６４、７４        投票情報生成部
１６、６６、７６        演算部
１７、６７、７７        記憶部
１８、６８、７８        通信部
２０                    ネットワーク
３０                    情報共有サーバ
４０                    ホスト
５０                    投票端末
５１                    投票券
６０                    情報共有装置
【図１】
2014081771.tif 000003
【図２】
2014081771.tif 000004
【図３】
2014081771.tif 000005
【図４】
2014081771.tif 000006
【図５】
2014081771.tif 000007
【図６】
2014081771.tif 000008
【図７】
2014081771.tif 000009
【図８】
2014081771.tif 000010
【図９】
2014081771.tif 000011
【図１０】
2014081771.tif 000012
【図１１】
2014081771.tif 000013
【図１２】
2014081771.tif 000014
【図１３】
2014081771.tif 000015
【図１４】
2014081771.tif 000016
【図１５】
2014081771.tif 000017
【図１６】
2014081771.tif 000018
【図１７】
2014081771.tif 000019
【図１８】
2014081771.tif 000020
【図１９】
2014081771.tif 000021
【図２０】
2014081771.tif 000022
【図２１】
2014081771.tif 000023
【図２２】
2014081771.tif 000024